(57)【要約】【課題】装置に対する操作が行われていないときにも、操作が行われているときにも、装置本体を保護する。【解決手段】保護カバー４４−１，４４−２の両側面には、それぞれ側板４８が筐体３８の両側面に設けられている。側板４８それぞれには、揺動用ピン４６と係合するスリット５０が設けられている。筐体３８の両側面には、スリット５０と係合し、保護カバー４４−１，４４−２それぞれと筐体３８とを結合させる揺動用ピン４６が設けられている。よって、保護カバー４４−１，４４−２は、スリット５０が揺動用ピン４６と係合し、結合しているので、筐体３８に対してスライドし、揺動用ピン４６を軸として揺動する。【選択図】          図５
2004235524.tif 000002
【特許請求の範囲】
【請求項１】
筐体を保護する保護カバーであって、
筐体の第１の面に対向する位置に固定されて前記第１の面を保護する第１の保護部分と、
前記第１の保護部分が、前記筐体の第２の面に対向する位置にあるときに、前記筐体の第１の面を保護する第２の保護部分と、
前記第１の保護部分を、前記筐体の第１の面または第２の面に対向する位置に移動させる移動機構とを有する保護カバー。
【発明の詳細な説明】
【０００１】
【発明の属する技術分野】
本発明は、装置本体を保護する保護カバーに関するものである。
【０００２】
【従来の技術】
例えば、野外で用いられる無線通信装置には、操作が不要な場合に、塵および雨滴などから無線通信装置を保護するための保護カバーが取り付けられているものがある。
例えば、特許文献１は、携帯電話機本体に対してスライドして開く携帯電話機用保護カバーを開示する。
【０００３】
【特許文献１】特開２００１−２４５０３１号公報
【０００４】
しかしながら、上記特許文献１に開示された保護カバーは、無線通信装置本体に対し、スライドすることのみによって開くように構成されているので、非操作時には、無線通信装置本体の入力操作部などを保護するが、操作時には、入力操作部などを保護せずに露出させてしまう。
【０００５】
【発明が解決しようとする課題】
本発明は、上述した背景からなされたものであり、装置に対する操作が行われていないときにも、操作が行われているときにも、装置本体を保護する保護カバーを提供することを目的とする。
【０００６】
【課題を解決するための手段】
上記目的を達成するため、本発明にかかる保護カバーは、筐体を保護する保護カバーであって、筐体の第１の面に対向する位置に固定されて前記第１の面を保護する第１の保護部分と、前記第１の保護部分が、前記筐体の第２の面に対向する位置にあるときに、前記筐体の第１の面を保護する第２の保護部分と、前記第１の保護部分を、前記筐体の第１の面または第２の面に対向する位置に移動させる移動機構とを有する。
【０００７】
【発明の実施の形態】
以下、本発明の実施形態を説明する。
【０００８】
［無線機１０］
図１は、本発明が適用される無線機１０の構成を例示する図である。
図１に示すように、無線機１０は、例えば作業者が搬送することができる可搬形の無線機であって、装置本体１２、発電機１４、スピーカ１６、マイク１８およびアンテナ２０から構成される。
【０００９】
発電機１４は、例えば作業者が装置本体１２とともに搬送することができる可搬形の発電機であって、装置本体１２に電力を供給する。
スピーカ１６は、コネクタ（図示せず）を介して音声変換部２８に接続されおり、例えば無線機１０が受信した音声信号を後述する音声変換部２８を介して受け入れ、音声として作業者に対し出力する。
マイク１８は、コネクタ（図示せず）を介して音声変換部２８に接続されており、作業者の音声を受け入れ、後述する音声変換部２８に対して出力する。
なお、スピーカ１６とマイク１８とは、一体化されてもよい。
アンテナ２０は、例えば同軸ケーブル（図示せず）などを介して送受信部３２に接続されており、他の無線機などから出力される信号を受信し、送受信部３２に対して出力するとともに、送受信部３２から入力される信号を他の無線機などに対して出力する。
【００１０】
装置本体１２は、例えば電源部２２、制御部２４、音声変換部２８、変復調部３０、送受信部３２、入力操作部３４および表示部３６を含む。
電源部２２は、コネクタ（図示せず）を介して発電機１４に接続されている。
電源部２２は、発電機１４から供給される電力を所定の電圧に変換し、装置本体１２を構成する各部に対して出力する。
制御部２４は、ＣＰＵ２６などを含み、作業者が入力操作部３４を介して入力した信号または設定に基づき、音声変換部２８、変復調部３０および送受信部３２を制御し、表示部３６に対して作業者の入力内容および無線機１０の動作状況などを出力する。
【００１１】
音声変換部２８は、例えば制御部２４の制御に基づいて、変復調部３０から入力される受信信号をアナログ信号（音声信号）に変換してスピーカ１６に出力するとともに、マイク１８から入力される送信信号（音声信号）をデジタル信号に変換し、変復調部３０に出力する。
変復調部３０は、例えば制御部２４の制御に基づいて、送受信部３２から入力される受信信号を復調し、音声変換部２８に出力するとともに、音声変換部２８から入力される送信信号を変調し、送受信部３２に出力する。
送受信部３２は、例えば制御部２４の制御に基づいて、アンテナ２０を介して受信した受信信号を周波数変換し、変復調部３０に出力するとともに、変復調部３０から入力される送信信号を周波数変換し、アンテナ２０を介して送信する。
【００１２】
入力操作部３４は、操作用のボタン・スイッチなど（図示せず）を有し、上述したように作業者の入力または設定などを受け入れ、制御部２４に対して出力する。
表示部３６は、例えばＬＣＤパネルおよびＬＥＤなど（図示せず）を含み、作業者の入力内容および無線機１０の動作状況などを表示する。
【００１３】
［装置本体１２］
図２は、保護カバー４４−１，４４−２が閉じた状態の装置本体１２の外形を示す斜視図である。
装置本体１２は、例えば、ほぼ直方体に形成された筐体３８の内部に、図１に示した電源部２２、制御部２４、音声変換部２８、変復調部３０および送受信部３２が収容され、筐体３８の前面に位置する操作面４０に、入力操作部３４のボタン・スイッチなどおよび表示部３６のＬＣＤなどが設けられている。
発電機１４、スピーカ１６およびマイク１８それぞれと、装置本体１２とを接続するコネクタ（図示せず）は、操作面４０（第１の面）に設けられている。
アンテナ２０と装置本体１２とを接続する同軸ケーブル（図示せず）は、操作面４０に接続される。
操作面４０には、操作面４０を保護するように保護カバー４４−１が設けられている。
【００１４】
筐体３８の背面には、装置本体１２から発生する熱を放出するラジエータ４２が設けられている。
ラジエータ４２には、ラジエータ４２を保護するように保護カバー４４−２が設けられている。
なお、以下、保護カバー４４−１，４４−２のいずれかを特定せずに示す場合には、単に保護カバー４４などと略記することがある。
【００１５】
保護カバー４４−１は、操作面４０に向かって正面、上方、左方および右方の４つの方向から、操作面４０を覆うことができるように形成されている。
保護カバー４４−１は、図２に示すように操作面４０を保護する第１の位置にあるときには、操作面４０に設けられた部品などとの間に空間を有し、操作面４０の外周のうち上辺、左辺および右辺の三辺と接触している。
この状態で、保護カバー４４−１の下方（図２において下側）においては、カバー下端５６が操作面４０の外周の下辺から離れており、開放されている。
保護カバー４４−２は、筐体３８の背面に向かって正面、上方、左方および右方の４つの方向から、ラジエータ４２を覆うことができるように形成されている。
保護カバー４４−２は、図２に示すようにラジエータ４２を保護する第１の位置にあるときには、ラジエータ４２との間に空間を有し、筐体３８の背面外周のうち上辺、左辺および右辺の三辺と接触している。
この状態で、保護カバー４４−２の下方（図２において下側）は、カバー下端５６が筐体３８の背面外周の下辺から離れており、開放されている。
【００１６】
保護カバー４４−１，４４−２には、筐体３８と相互に接触する部分に、例えば防水用のパッキン（図示せず）が設けられており、保護カバー４４−１，４４−２は、筐体３８と密着し、塵および雨滴などから操作面４０およびラジエータ４２を保護する。
よって、装置本体１２は、保護カバー４４−１，４４−２を閉じることにより、操作面４０およびラジエータ４２を保護した状態で、搬送および保管などをされることができる。
防水用パッキンは、筐体３８の保護カバー４４と接触する部分に設けられてもよい。
【００１７】
筐体３８の両側面には、後述するスリット５０と係合し、保護カバー４４−１，４４−２それぞれと、筐体３８とを結合させる揺動用ピン４６が設けられている。
保護カバー４４−１，４４−２の両側面には、それぞれ側板４８が筐体３８の両側面に沿うように設けられている。
側板４８それぞれには、上述した揺動用ピン４６と係合するスリット５０が設けられている。
スリット５０は、揺動用ピン４６がはめ込まれた状態でスライドおよび揺動（図３を参照して後述）できるように、揺動用ピン４６の直径よりもわずかに大きな幅を有し、保護カバー４４をスライドさせる距離に合わせた長さに形成されている。
すなわち、保護カバー４４は、保護カバー４４の両側面に設けられた側板４８のスリット５０がそれぞれ揺動用ピン４６と係合し、結合していることにより、作業者の操作に応じて、筐体３８に対して直線的にスライドし、揺動用ピン４６を軸として揺動する。
保護カバー４４と筐体３８とは、スリット５０が筐体３８の側面に設けられ、揺動用ピン４６が側板４８に設けられることにより係合し、結合するように構成されてもよい。
【００１８】
そして、保護カバー４４−２の側板４８には、それぞれキャッチクリップ５２が設けられており、保護カバー４４−１の側板４８には、それぞれキャッチクリップ５２と対向する位置に受け具５４が設けられている。
キャッチクリップ５２と受け具５４とは、係合することにより、保護カバー４４をそれぞれ筐体３８に向けて引き寄せて、保護カバー４４と筐体３８とを接触させる。
【００１９】
［動作］
次に、保護カバー４４が開けられるときの動きを図２〜図５を参照して説明する。
図３は、保護カバー４４が筐体３８に対してスライドし、筐体３８から離れた状態を示す図である。
図４は、保護カバー４４が揺動用ピン４６を軸として回転する状態を示す図である。
図５は、保護カバー４４を開き、筐体３８の上部に載置した状態を示す図である。
【００２０】
図２に示すように、保護カバー４４−１，４４−２が閉じた状態では、それぞれの側板４８は、スリット５０が揺動用ピン４６に係合した状態で、保護カバー４４−１と保護カバー４４−２とが互いに近づく方向にスライドしている。
そして、キャッチクリップ５２と受け具５４とは、保護カバー４４−１の側板４８と保護カバー４４−２の側板４８とが近づけられた状態で係合し、保護カバー４４−１，４４−２と筐体３８とを固定している。
【００２１】
まず、図３に示すように、作業者がキャッチクリップ５２を受け具５４から外すと、スリット５０が揺動用ピン４６にはめ込まれたままの状態で、保護カバー４４−１，４４−２の側板４８の固定が解かれる。
この状態で、作業者が保護カバー４４−１を筐体３８の外側（図３の矢印Ａ方向）に引き出すと、保護カバー４４−１は、筐体３８から外される。
また、同様にこの状態で、作業者が保護カバー４４−２を筐体３８の外側（図３の矢印Ｂ方向）に引き出すと、保護カバー４４−２は、筐体３８から外される。
【００２２】
次に、図４に示すように、保護カバー４４−１は、揺動用ピン４６を軸として、筐体３８の上方に向けて、矢印Ｃが示す方向（図４において右回り）に回転する。
また、保護カバー４４−２は、揺動用ピン４６を軸として、筐体３８の上方に向けて、矢印Ｄが示す方向（図４において左回り）に回転する。
【００２３】
そして、図５に示すように、保護カバー４４は、それぞれ筐体３８の上方で筐体３８と平行になるまで回転した後に、それぞれのスリット５０が揺動用ピン４６と係合しつつ、下方にスライドすることにより、筐体３８の上面（第２の面）に載置され、操作面４０を上方から保護する第２の位置に移動する。
保護カバー４４−１は、筐体３８の上面に載置された状態において、カバー下端５６が操作面４０より突出し、操作面４０に対して庇となっている。
保護カバー４４−２は、筐体３８の上面に載置された状態において、カバー下端５６がラジエータ４２より突出し、ラジエータ４２に対して庇となっている。
【００２４】
保護カバー４４−１を開くと、作業者は、操作面４０に設けられた入力操作部３４および表示部３６を介し、装置本体１２を操作することができる。
さらに、保護カバー４４−１は、開かれた状態において、操作面４０に対して庇となるので、操作面４０に当たる雨滴および太陽光などが少なくなる。
保護カバー４４−２を開くと、ラジエータ４２と保護カバー４４−２との間に設けられた空間が開放され、装置本体１２から発生する熱が、ラジエータ４２から大気中に効率よく放出される。
また、保護カバー４４−１，４４−２のカバー下端５６は、それぞれ操作面４０およびラジエータ４２よりも突出しているため、作業者などからの物理的な接触による表示部３６およびラジエータ４２などの破損を低減することができる。
保護カバー４４は、揺動用ピン４６をネジ止めすることができるピンとすることにより、揺動用ピン４６によって固定されてもよい。
【００２５】
次に、保護カバー４４が閉じられるときの動きを図２〜図５を参照して説明する。
保護カバー４４−１を閉じる場合には、筐体３８に載置された保護カバー４４−１は、スリット５０が揺動用ピン４６にはめ込まれたままの状態で、作業者が、側板４８を上方にスライドさせた後、揺動用ピン４６を軸として矢印Ｃ’が示す方向（図４において左回り）に回転し、筐体３８に向かう方向（図３の矢印Ａ’方向）にスライドして、操作面４０を覆う位置に移動する。
【００２６】
また、保護カバー４４−２を閉じる場合には、筐体３８に載置された保護カバー４４−２は、スリット５０が揺動用ピン４６にはめ込まれたままの状態で、作業者が、側板４８を上方にスライドさせた後、揺動用ピン４６を軸として矢印Ｄ’が示す方向（図４において右回り）に回転し、筐体３８に向かう方向（図３の矢印Ｂ’方向）にスライドして、ラジエータ４２を覆う位置に移動する。
そして、保護カバー４４は、キャッチクリップ５２と受け具５４とが係合させられ、筐体３８に密着するように固定される。
すなわち、保護カバー４４は、簡易に開閉し、閉じられた状態（第１の位置）および開かれた状態（第２の位置）でそれぞれ固定される。
【００２７】
以上のように、装置本体１２は、保護カバー４４を簡易に開閉することができるので、保管時または搬送時などの非操作時において、作業者などからの外力、塵および雨滴などから筐体３８を保護することができ、操作時にも、防滴性および防眩性などを向上させ、作業者などからの外力による破損を低減することができる。
また、装置本体１２は、保護カバー４４−１，４４−２を開いたときに、保護カバー４４−１を筐体３８に結合させた状態で、作業者が操作面４０を介して操作することができ、保護カバー４４−１，４４−２を取外すことによるカバーの紛失および破損を防止することができる。
【００２８】
なお、上記実施形態の説明にあっては、保護カバー４４−１と保護カバー４４−２とは、一組のキャッチクリップ５２と受け具５４とを係合することによって固定しているが、これに限定するものではなく、それぞれを個別に固定するものであってもよい。
保護カバー４４は、保護する面の外周のうち三辺のみと接触しているが、保護する面の外周全体と接触し、保護する面に接触する全ての部分に防水用のパッキンを設けて完全防水としてもよい。
また、装置本体１２は、保護カバー４４−１のみ設けられ、操作面４０のみ保護される構成であってもよい。
装置本体は、無線機などの電子機器または移動可能な装置に限定するものではなく、固定された非電子機器であってもよい。
【００２９】
【発明の効果】
以上述べたように、本発明によれば、装置に対する操作が行われていないときにも、操作が行われているときにも、装置本体を保護することができる。
【図面の簡単な説明】
【図１】本発明の実施形態に係る保護カバーを有する無線機の構成を示す図である。
【図２】本発明の実施形態に係る保護カバーが閉じた状態の装置本体の外形を示す斜視図である。
【図３】本発明の実施形態に係る保護カバーを、無線機本体から外側にスライドさせた状態を示す図である。
【図４】本発明の実施形態に係る保護カバーを、回転用ピンを軸として回転させた状態を示す図である。
【図５】本発明の実施形態に係る保護カバーを有する無線機の装置本体の、保護カバーを開いた状態を示す図である。
【符号の説明】
１０    無線機
１２    装置本体
２２    電源部
３４    入力操作部
３６    表示部
３８    筐体
４０    操作面
４２    ラジエータ
４４−１，４４−２    保護カバー
４６    揺動用ピン
４８    側板
５０    スリット
５２    キャッチクリップ
５４    受け具
５６    カバー下端
【図１】
2004235524.tif 000003
【図２】
2004235524.tif 000004
【図３】
2004235524.tif 000005
【図４】
2004235524.tif 000006
【図５】
2004235524.tif 000007